(57)【要約】【課題】  カバーガラスを保持する保持部材の内壁面で反射する光に起因するゴーストやフレアの発生を防止する保持部材を持つ、コンパクトな撮像素子アセンブリ、およびそのコンパクトな撮像素子アセンブリが組み込まれた小型の撮像装置を提供する。【解決手段】撮像素子１１の撮像面の前面を覆うカバーガラス１３の保持部材１２ａ，１２ｂに、カバーガラス１３から撮像素子１１に向かうに従って撮像面の中心を通り撮像面に垂直な光軸から離れる側に傾いたテーパ面１２１ａ，１２１ｂを設ける。【選択図】  図４
2005348134.tif 000002
【特許請求の範囲】
【請求項１】
被写体像の結像を受けて該被写体像を表す画像信号を生成する撮像素子と、
撮像面側に前記撮像素子から離間して配備されたカバーガラスと、
前記カバーガラスの前記撮像素子側に配備された該カバーガラスを保持する保持部材とを備え、
前記保持部材が、前記カバーガラスから前記撮像素子に向かうに従って、前記撮像面の中心を通り該撮像面に垂直な光軸から離れる側に傾いたテーパ面を有することを特徴とする撮像素子アセンブリ。
【請求項２】
被写体像を捉えることにより撮影を行なう撮像装置において、
被写体を結像する撮像光学系と、
被写体像の結像を受けて該被写体像を表す画像信号を生成する撮像素子と、
撮像面側に前記撮像素子から離間して配備されたカバーガラスと、
前記カバーガラスの前記撮像素子側に配備された該カバーガラスを保持する保持部材と
を備え、
前記保持部材が、前記カバーガラスから前記撮像素子に向かうに従って、前記撮像面の中心を通り該撮像面に垂直な光軸から離れる側に傾いたテーパ面を有するものであることを特徴とする撮像装置。
【発明の詳細な説明】
【技術分野】
【０００１】
本発明は、撮像素子の撮像面を保護するカバーガラスを保持する保持部材を備えた撮像素子アセンブリ、およびその撮像素子アセンブリが組み込まれた撮像装置に関する。
【背景技術】
【０００２】
撮像素子を用いて撮像装置を構成する場合には、撮像素子の撮像面に塵などが付着しないようにするための保護部材が必要になる（例えば特許文献１参照）。
【０００３】
ここで、その保護部材であるカバーガラスと、撮像素子と、その撮像素子に被写体像を結像させる撮像光学系内の射出瞳（レンズ）の位置を示して撮像装置内の撮像素子周辺の構成を説明する。
【０００４】
図１は、従来の撮像装置内の撮像素子周辺の構成を示す図である。
【０００５】
図１には、上方に撮像光学系内の射出瞳ａ−ａ´が示され、その射出瞳の下方に、撮像素子アセンブリ２が示されている。この撮像素子アセンブリ２は、基板２０に固定された撮像素子２１と、その撮像素子２１の撮像面の前面を覆うカバーガラス２３と、そのカバーガラスを保持する保持部材２２ａ，２２ｂとで構成されている。図１に示す撮像素子２１の撮像面では、中央部分が有効撮像範囲となりその周囲は有効撮像範囲外となる。ここでは、撮像面の有効撮像範囲にハッチングを施してある。
【０００６】
従来のように撮像装置が比較的大きなものである場合には、撮像素子２１に被写体像を結像させるための撮像光学系内の射出瞳ａ−ａ´の位置を撮像素子２１からある程度離して設定し、カバーガラス２３を保持する保持部材２２ａ，２２ｂも撮像素子２１の有効撮像範囲から外側（図１では左右方向）にある程度離して配置することができたので、カバーガラス２３を保持する保持部材２２ａ，２２ｂの内壁２２１ａ，２２１ｂによる点線で示す反射光が撮像素子２１の撮像面の有効撮像範囲に入らず、ゴーストやフレアの発生を防ぐことができていた。
【０００７】
しかし、近年、撮像装置の小型化の要請で、撮像光学系内の射出瞳（レンズ）ａ-ａ´の位置を撮像素子２１に近づけ、さらにカバーガラス２３を保持する保持部材２２ａ，２２ｂも撮像素子２１の撮像面内の有効撮像範囲側（図中ハッチングを施した部分）にもっと近づける必要性が出てきている。
【０００８】
図２は、その撮像装置の小型化の要請を受けて、図１に示す射出瞳（レンズ）の位置を撮像素子２１に近づけた場合の撮像素子２１周辺の構成を示す図である。なお、本来であれば保持部材２２ａ，２２ｂも撮像素子２１の撮像面の有効撮像範囲（図中ハッチングを施した部分）にもっと近づける必要があるが、ここでは図１との比較を行なうため、保持部材２２ａ，２２ｂを図１と同様の位置に配置した場合の例を示してある。
【０００９】
図２に示すように撮像光学系内の射出瞳（レンズ）ａ-ａ´の位置を撮像素子２１に近づけていくと、どうしても射出瞳ａ-ａ´からの光束の広がりが大きくなるので、保持部材２２ａ，２２ｂの内壁面２２１ａ，２２１ｂで反射した点線で示す反射光が撮像素子２１の有効撮像範囲に入り込んでしまってゴーストやフレアが増加してしまう。
【００１０】
さらに撮像装置の小型化の要請に応じてカバーガラス２３を保持する保持部材２２ａ，２２ｂの内壁面を有効撮像範囲に近づけようものなら、射出瞳からの光束の広がりが大きくなり、且つ、カバーガラス保持部材の内壁も撮像素子の有効撮像範囲に近づいたことによって一段とゴーストやフレアが増加してしまう。
【特許文献１】特開２００２−８９７４２号公報
【発明の開示】
【発明が解決しようとする課題】
【００１１】
本発明は、上記事情に鑑み、カバーガラスを保持する保持部材の内壁面で反射する光に起因するゴーストやフレアの発生を防止する保持部材を持つ、コンパクトな撮像素子アセンブリ、およびそのコンパクトな撮像素子アセンブリが組み込まれた小型の撮像装置を提供することを目的とする。
【課題を解決するための手段】
【００１２】
上記目的を達成する本発明の撮像素子アセンブリは、
被写体像の結像を受けてその被写体像を表す画像信号を生成する撮像素子と、
上記撮像面側に上記撮像素子から離間して配備されたカバーガラスと、
上記カバーガラスの上記撮像素子側に配備されたそのカバーガラスを保持する保持部材とを備え、
上記保持部材が、上記カバーガラスから上記撮像素子に向かうに従って、上記撮像面の中心を通り上記撮像面に垂直な光軸から離れる側に傾いたテーパ面を有することを特徴とする。
【００１３】
上記本発明の撮像素子アセンブリによれば、上記保持部材の壁面が、上記カバーガラスから上記撮像素子に向かうに従って、上記撮像面の中心を通り上記撮像面に垂直な光軸から離れる側に傾いたテーパ面になっているため、光束の広がりを受けてその壁面で反射した光の光路が変わって撮像素子の撮像面内の有効反射範囲に反射光が入り込まなくなる。そうすると、撮像光学系内の射出瞳（レンズ）の位置を撮像素子の有効撮像範囲に近づけて、またその有効撮像範囲に保持部材を近づけても、上記撮像面の有効撮像範囲に反射光が入り込まず、撮像装置の小型の要請に応じた、コンパクトな撮像素子アセンブリが実現される。
【００１４】
さらに、本発明の撮像装置は、被写体像を捉えることにより撮影を行なう撮像装置において、
被写体を結像する撮像光学系と、
被写体像の結像を受けてその被写体像を表す画像信号を生成する撮像素子と、
上記撮像面側に上記撮像素子から離間して配備されたカバーガラスと、
上記カバーガラスの上記撮像素子側に配備されたそのカバーガラスを保持する保持部材とを備え、
上記保持部材が、上記カバーガラスから上記撮像素子に向かうに従って、上記撮像面の中心を通り上記撮像面に垂直な光軸から離れる側に傾いたテーパ面を有するものであることを特徴とする。
【００１５】
上記本発明の撮像装置によれば、コンパクトな撮像素子が配備されたことで、撮像装置の小型化が実現される。
【発明の効果】
【００１６】
以上説明したように本発明によれば、撮像素子の撮像面に反射光が入り込まむことのない保持部材を備えた、コンパクトな撮像素子アセンブリ、およびそのコンパクトな撮像素子アセンブリが組み込まれた小型の撮像装置が実現される。
【発明を実施するための最良の形態】
【００１７】
以下、本発明の実施の形態について説明する。
【００１８】
図３は本発明の撮像装置の一実施形態であるデジタルカメラ１００の外観斜視図である。
【００１９】
図３に示すデジタルカメラ１００の正面上部には、補助光発光窓１０２およびファインダ対物窓１０３が配置されている。また、このデジタルカメラ１００の上面には、シャッタボタン１０４が配置されている。そのデジタルカメラ１００の中央にレンズ鏡胴１１０が配備されており、そのレンズ鏡胴１１０には撮影レンズおよびその撮影レンズで被写体が結像される撮像素子が内蔵されている。デジタルカメラ１００の上面のシャッタ釦１０４が押されると、レンズ鏡胴１１０に内蔵された撮影レンズで撮像素子の撮像面に被写体が結像されその撮像素子で画像データが生成される。さらに、その生成された画像データがカメラ本体側の信号処理部を経てメモリカードなどに記録される。
【００２０】
このデジタルカメラ１００では、レンズ鏡胴１１０の小型化およびカメラボディの薄型化を図るため、前述したように射出瞳の位置を撮像素子に近づけるようにして撮像光学系が構成されている。
【００２１】
図４は、図３に示すデジタルカメラ内の撮像素子周辺の構成を示す図である。
【００２２】
図４には撮像光学系内の射出瞳ａ−ａ´が上方に開口絞りのような形で示され、その射出瞳ａ−ａ´の下方にカバーガラス１３を含む撮像素子アセンブリ１が示されている。この図４は従来例に示した図２と同様のものであり、双方の図を見比べながら以降説明する。
【００２３】
図４に示すものは、図２と違って、保持部材１２ａ，１２ｂが、カバーガラス１３から撮像素子１０に向かうに従って撮像面の中心を通り撮像面に垂直な光軸から離れる側に傾いたテーパ面１２１ａ，１２１ｂを有するものに置き換えられている。
【００２４】
図２に示す保持部材２２ａ，２２ｂを用いた場合には、射出瞳ａ−ａ´が撮像素子２１に近づいた分、射出瞳からの光束の広がりが大きくなって保持部材２２ａ，２２ｂの内壁面２２１ａ，２２１ｂでの反射光が撮像面の有効撮像範囲（図中ハッチングを施した部分）内に入り込んでしまったが、図４に示すように保持部材１２ａ，１２ｂに、テーパ面１２１ａ，１２１ｂを設けてそのテーパ面を設けた保持部材１２ａ，１２ｂでカバーガラス１３を保持するようにすると、テーパ面１２１ａ，１２１ｂで反射した点線で示す反射光の光の光路が変わって有効撮像範囲外を通過するようになる。また、保持部材１２ａ，１２ｂにテーパ面１２を設けたことで、保持部材１２ａ，１２ｂを撮像面内の有効撮像範囲に近づけたとしても、その保持部材１２ａ，１２ｂの内壁１２１ａ，１２１ｂで反射した光が撮像素子の周縁部（有効撮像範囲外）に入り込む程度であって有効撮像範囲（図中ハッチングで示した部分）内に入り込むことは防止される。
【００２５】
このように撮像装置の小型化の要請を受けて射出瞳の位置を撮像素子に近づけ、さらに保持部材１１ａ，１１ｂを撮像面内の有効撮像範囲に近づけることができるようになると撮像素子アセンブリが非常にコンパクトになる。また撮像素子アセンブリがコンパクトになると、撮像装置が小型化されたものであっても、そのコンパクトな撮像素子アセンブリ１が小型の撮像装置内にすっぽりと収まるようになる。
【図面の簡単な説明】
【００２６】
【図１】従来の撮像装置内の撮像素子周辺の構成を示す図である。
【図２】撮像装置の小型化の要請を受けて、図１に示す射出瞳（レンズ）の位置を撮像素子に近づけた場合の撮像素子周辺の構成を示す図である。
【図３】本発明の撮像装置の一実施形態であるデジタルカメラ１００の外観図である。
【図４】図３に示すデジタルカメラ内の撮像素子周辺の構成を示す図である。
【符号の説明】
【００２７】
１    撮像素子アセンブリ
１０    基板
１１    撮像素子
１２ａ  １２ｂ    保持部材
１２１ａ  １２１ｂ    テーパ面
１３    カバーガラス
１００    撮像装置
【図１】
2005348134.tif 000003
【図２】
2005348134.tif 000004
【図３】
2005348134.tif 000005
【図４】
2005348134.tif 000006